(57)【特許請求の範囲】
【請求項１】
入力画像における各サブピクセルの色調及び飽和度を取得するステップ１と、
前記入力画像におけるサブピクセルの色は２色覚患者が基準色から区別可能な色であるか否かを判断するステップ２と、
ステップ２の判断結果に基づいて、以下の式１と式２とにより、前記入力画像におけるサブピクセルに対応する出力画像におけるサブピクセルの色調及び飽和度をそれぞれ計算するステップ３と
を含み、
Ｈ１＝Ｈ０＋ΔＨ  （式１）
Ｈ０：入力画像におけるサブピクセルの色調、
Ｈ１：入力画像におけるサブピクセルに対応する出力画像におけるサブピクセルの色調、
前記入力画像におけるサブピクセルの色は２色覚患者が基準色から区別できない色であると、ΔＨ≠０とし、
前記入力画像におけるサブピクセルの色は２色覚患者が基準色から区別可能な色であると、ΔＨ＝０とし、
Ｓ１＝Ｓ０＋ΔＳ  （式２）、
Ｓ０：入力画像におけるサブピクセルの飽和度、
Ｓ１：前記入力画像におけるサブピクセルに対応する出力画像におけるサブピクセルの飽和度、
前記入力画像におけるサブピクセルの色は２色覚患者が基準色から区別できない色であると、｜ΔＳ｜≦０．４５且つΔＳ≠０とし、
前記入力画像におけるサブピクセルの色は２色覚患者が基準色から区別可能な色であると、ΔＳ＝０とし、
前記ステップ２において、前記入力画像におけるサブピクセルの色調Ｈ０が第１範囲又は第２範囲内である場合に、該サブピクセルの色は、２色覚患者が基準色から区別できない色であると判定され、前記ステップ３において、−４０°≦ΔＨ≦−１°且つ−０．１≦ΔＳ＜０とし、
前記第１範囲は、［３１５°，３６０°］であり、前記第２範囲は、［０°，４５°］である
ことを特徴とする表示駆動方法。
【請求項２】
１５°＜Ｈ０≦４５°のとき、前記ステップ３において、−３９°≦ΔＨ≦−１°、−０．０９９≦ΔＳ≦−０．００１とし、且つ、Ｈ０が大きければ大きいほどΔＨとΔＳが大きくなるようにし、
３１５°≦Ｈ０＜３４５°のとき、前記ステップ３において、−３９°≦ΔＨ≦−１°、−０．０９９≦ΔＳ≦−０．００１とし、且つ、Ｈ０が大きければ大きいほどΔＨとΔＳが小さくなるようにし、
３４５°≦Ｈ０≦３６０°又は０°≦Ｈ０≦１５°のとき、前記ステップ３において、ΔＨ＝−４０°、ΔＳ＝−０．１とする
ことを特徴とする請求項１に記載の表示駆動方法。
【請求項３】
前記ステップ２において、前記入力画像におけるサブピクセルの色調Ｈ０が第３範囲内であると、該サブピクセルの色は、２色覚患者が基準色から区別できない色であると判定され、前記ステップ３において、１°≦ΔＨ≦４０°、０＜ΔＳ≦０．１とし、
前記第３範囲は、［７５°，１６５°］である
ことを特徴とする請求項１又は２に記載の表示駆動方法。
【請求項４】
７５°≦Ｈ０＜１０５°のとき、前記ステップ３において、１°≦ΔＨ≦３９°、０．００１≦ΔＳ≦０．０９９とし、且つ、Ｈ０が大きければ大きいほどΔＨとΔＳが大きくなるようにし、
１０５°≦Ｈ０≦１３５°のとき、前記ステップ３において、ΔＨ＝４０°、ΔＳ＝０．１とし、
１３５°＜Ｈ０≦１６５°のとき、前記ステップ３において、１°≦ΔＨ≦３９°、０．００１≦ΔＳ≦０．０９９とし、且つ、Ｈ０が大きければ大きいほどΔＨとΔＳが小さくなるようにする
ことを特徴とする請求項３に記載の表示駆動方法。
【請求項５】
前記出力画像における各サブピクセルの輝度値は、前記入力画像における対応するサブピクセルの輝度値と同一であることを特徴とする請求項１又は２に記載の表示駆動方法。
【請求項６】
前記ステップ１と前記ステップ２の間に、更に、
計算開始信号を受信したかを判断することと、
前記計算開始信号を受信すると、前記ステップ２を実行し、前記ステップ３の計算結果に基づいて前記出力画像を表示することと、
前記計算開始信号を受信しなかった時、直接に前記入力画像を出力することと
を含むことを特徴とする請求項１又は２に記載の表示駆動方法。
【請求項７】
入力画像における各サブピクセルの色調及び飽和度を取得する入力信号取得モジュールと、
前記入力画像におけるサブピクセルの色は２色覚患者が基準色から区別可能な色であるか否かを判断する色判定モジュールと、
前記色判定モジュールに接続され、前記色判定モジュールの判断結果に基づいて、以下の式１と式２とにより、前記入力画像におけるサブピクセルに対応する出力画像におけるサブピクセルの色調及び飽和度をそれぞれ計算する出力信号計算モジュールと
を含み、
Ｈ１＝Ｈ０＋ΔＨ  （式１）、
Ｈ０：入力画像におけるサブピクセルの色調、
Ｈ１：入力画像におけるサブピクセルに対応する出力画像におけるサブピクセルの色調、
前記入力画像におけるサブピクセルの色は２色覚患者が基準色から区別できない色であると、ΔＨ≠０とし、
前記入力画像におけるサブピクセルの色は２色覚患者が基準色から区別可能な色であると、ΔＨ＝０とし、
Ｓ１＝Ｓ０＋ΔＳ  （式２）、
Ｓ０：入力画像におけるサブピクセルの飽和度、
Ｓ１：前記入力画像におけるサブピクセルに対応する出力画像におけるサブピクセルの飽和度、
前記入力画像におけるサブピクセルの色は２色覚患者が基準色から区別できない色であると、｜ΔＳ｜≦０．４５且つΔＳ≠０とし、
前記入力画像におけるサブピクセルの色は２色覚患者が基準色から区別可能な色であると、ΔＳ＝０とし、
前記入力画像におけるサブピクセルの色調Ｈ０が第１範囲又は第２範囲内である場合に、前記色判定モジュールで該サブピクセルの色は２色覚患者が基準色から区別できない色であると判定し、−４０°≦ΔＨ≦−１°且つ−０．１≦ΔＳ＜０とし、
前記第１範囲は、［３１５°，３６０°］であり、前記第２範囲は、［０°，４５°］であり、
前記色判定モジュールに、前記第１範囲と前記第２範囲が格納されている
ことを特徴とする表示装置用の駆動回路。
【請求項８】
１５°＜Ｈ０≦４５°のとき、−３９°≦ΔＨ≦−１°、−０．０９９≦ΔＳ≦−０．００１とし、且つ、Ｈ０が大きければ大きいほどΔＨとΔＳが大きくなるようにし、
３１５°≦Ｈ０＜３４５°のとき、−３９°≦ΔＨ≦−１°、−０．０９９≦ΔＳ≦−０．００１とし、且つ、Ｈ０が大きければ大きいほどΔＨとΔＳが小さくなるようにし、
３４５°≦Ｈ０≦３６０°又は０°≦Ｈ０≦１５°のとき、ΔＨ＝−４０°、ΔＳ＝−０．１とする
ことを特徴とする請求項７に記載の駆動回路。
【請求項９】
前記入力画像におけるサブピクセルの色調Ｈ０が第３範囲内であると、前記色判定モジュールで該サブピクセルは２色覚患者が基準色から区別できない色であると判定し、１°≦ΔＨ≦４０°、０＜ΔＳ≦０．１とし、
前記第３範囲は、［７５°，１６５°］であり、
前記色判定モジュールに、前記第３範囲が格納されている
ことを特徴とする請求項７又は８に記載の駆動回路。
【請求項１０】
７５°≦Ｈ０＜１０５°のとき、１°≦ΔＨ≦３９°、０．００１≦ΔＳ≦０．０９９とし、且つ、Ｈ０が大きければ大きいほどΔＨとΔＳが大きくなるようにし、
１０５°≦Ｈ０≦１３５°のとき、ΔＨ＝４０°、ΔＳ＝０．１とし、
１３５°＜Ｈ０≦１６５°のとき、１°≦ΔＨ≦３９°、０．００１≦ΔＳ≦０．０９９とし、且つ、Ｈ０が大きければ大きいほどΔＨとΔＳが小さくなるようにする
ことを特徴とする請求項９に記載の駆動回路。
【請求項１１】
前記出力信号計算モジュールは、前記出力画像における各サブピクセルの輝度値が前記入力画像における対応するサブピクセルの輝度値と同一であるように制御することを特徴とする請求項７又は８に記載の駆動回路。
【請求項１２】
前記駆動回路は、
トリガーモジュールと制御モジュールとを更に含み、
前記トリガーモジュールが、前記制御モジュールへのトリガー信号の送信を可能にするように、前記制御モジュールと接続され、
前記制御モジュールが、前記トリガー信号を受信した後に前記出力信号計算モジュールへの計算開始信号の送信を可能にするように、前記出力信号計算モジュールと接続され、
前記出力信号計算モジュールは、前記計算開始信号を受信した後に計算を開始することができる
ことを特徴とする請求項７又は８に記載の駆動回路。
【請求項１３】
前記制御モジュールは、前記トリガー信号を受信しなかった時、前記入力画像を直接に出力するように前記駆動回路を制御することを特徴とする請求項１２に記載の駆動回路。
【請求項１４】
請求項７〜１３のいずれか一項に記載の駆動回路と、
入力端が前記駆動回路の出力端に接続される表示パネルと
を含むことを特徴とする表示装置。
【発明の詳細な説明】
【技術分野】
【０００１】
本願は、２０１５年４月９日に中国特許庁に提出された中国特許出願第２０１５１０１６６７１９．７号の優先権を主張し、その全ての内容が援用により本願に取り込まれる。
本発明は、色覚異常者用の表示装置に関し、特に表示駆動方法、当該表示駆動方法を実行する駆動回路及び当該駆動回路を含む表示装置に関する。
【背景技術】
【０００２】
色盲は、普遍的な視覚異常や欠如の疾病であり、通常遺伝要因によるものであり、一部の色に対する認知力の欠如や色を識別できないものとして表れる。統計によると、男性色盲者は男性総人口の約８％、女性色盲者は女性総人口の約０．５％を占める。色識別力の欠如により、色盲患者は仕事や生活に様々な支障を来たす。
【０００３】
ヒトの網膜には、長波長（５３５〜５７５ｎｍ）感受性のＬ-錐体細胞、中波長（５００〜５５０ｎｍ）感受性のＭ-錐体細胞、短波長（４００〜４５０ｎｍ）感受性のＳ-錐体細胞の３種類の錐体細胞が存在する。色盲の発生原因は、網膜における錐体細胞の欠如や変異にある。例えば、Ｌ-錐体細胞の欠如が赤の２色覚に対応し、Ｍ-錐体細胞の欠如が緑の２色覚に対応し、Ｓ-錐体細胞の欠如が青の２色覚に対応する。赤、緑の２色覚は、赤と緑の区別ができず、青の２色覚は、青と緑の区別ができない。
【０００４】
Ｈａｎｓ  Ｂｒｅｔｔｅｌは、各種２色覚の観察色が２つの平面に集中する２色覚模擬モデルを提案した。各種２色覚の観察色の位置する２つの平面による角度は小さいため、それらを１つの平面として見なしてもよい。我々は、当該平面を２色覚の色面と定義し、簡単化された２色覚モデルを得た。
【０００５】
前に紹介したように、２色覚が３種類の錐体細胞のうちの一種の欠如によるものであり、このような欠如がＬＭＳ空間におけるある種類の信号の変化に対応し、他の２種類の信号が一定に保持される。従って、赤、緑、青の３種類の２色覚は、ＲＧＢ空間の色をＬＭＳの３つの方向に沿って異なる平面に透過させることに相当する。科学者たちの実験研究により、赤緑２色覚は、赤、緑の２種類の色に対する区別力が比較的低いことが発見された。これは、赤、緑の２種類の色が赤、緑の２色覚の色面の両側に分布するため、色面に投影されると、両者が重なり、混同されるためである。青色盲患者の場合、青緑の２種類の色に対する区別力が比較的低いことは、青、緑の２種類の色がその色覚の色面の両側に分布するためである。
【０００６】
従来技術において、各サブピクセルのＨ成分を回転させることにより画像を処理することができるが、このような方法で画像を調整すると、画像の歪みが生じやすい。
【発明の概要】
【発明が解決しようとする課題】
【０００７】
本発明の目的は、表示駆動方法、当該表示駆動方法を実行する駆動回路及び当該駆動回路を含む表示装置を提供することである。
【課題を解決するための手段】
【０００８】
上述した目的を達成するために、本発明の１つの態様は、表示駆動方法を提供する。上記表示駆動方法は、入力画像の各サブピクセルの色調を取得するステップ１と、入力画像の計算待ちサブピクセルが２色覚患者にとって基準色から区別可能な色であるか否かを判断するステップ２と、ステップ２の判断結果に基づいて、出力画像のサブピクセルの色調を計算するステップ３とを含む。
【０００９】
また、ステップ３は、Ｈ１＝Ｈ０＋ΔＨ（Ｈ０：入力画像の計算待ちサブピクセルの色調；Ｈ１：出力画像のうち、上記入力画像の計算待ちサブピクセルの位置に対応するサブピクセルの色調）（式１）から出力画像のサブピクセルの色調を計算することを更に含む。上記計算待ちサブピクセルが２色覚患者にとって基準色から区別できない色であると、ΔＨ≠０であり、よって、上記出力画像のうち、上記計算待ちサブピクセルの位置に対応するサブピクセルが２色覚患者にとって基準色から区別可能な色になる。上記計算待ちサブピクセルが２色覚患者にとって基準色から区別可能な色であると、ΔＨ＝０である。
【００１０】
また、上記ステップ１において、上記入力画像の各サブピクセルの飽和度を取得することを更に含む。上記ステップ３において、Ｓ１＝Ｓ０＋ΔＳ（Ｓ１：出力画像の計算待ちサブピクセルの飽和度；Ｓ０：入力画像のうち、計算待ちサブピクセルの位置と同一のサブピクセルの飽和度）（式２）から出力画像のサブピクセルの飽和度を計算することを更に更に含む。上記計算待ちサブピクセルが２色覚患者にとって基準色から区別できない色であると、ΔＳ≠０である。上記計算待ちサブピクセルが２色覚患者にとって基準色から区別可能な色であると、ΔＳ＝０である。
【００１１】
また、｜ΔＳ｜≦０．４５である。
【００１２】
また、上記ステップ２において、上記入力画像の計算待ちサブピクセルの色調が第１範囲（[３１５°，３６０°]）又は第２範囲（[０°，４５°]）にあると、上記計算待ちサブピクセルが基準色から区別できない色であると判定し、Ｈ０が第１範囲又は第２範囲にあると、上記ステップ３において、−４０°≦ΔＨ≦−１°、−１＜ΔＳ＜０である。
【００１３】
また、１５°＜Ｈ０≦４５°のとき、上記ステップ３において、−３９°≦ΔＨ≦−１°、−０．０９９≦ΔＳ≦−０．００１であり、且つ、Ｈ０が大きければ大きいほどΔＨが大きくなり、Ｈ０が大きければ大きいほどΔＳが大きくなる。３１５°≦Ｈ０＜３４５°のとき、上記ステップ３において、−３９°≦ΔＨ≦−１°、−０．０９９≦ΔＳ≦−０．００１であり、且つ、Ｈ０が大きければ大きいほどΔＨが小さくなり、Ｈ０が大きければ大きいほどΔＳが小さくなる。３４５°≦Ｈ０≦３６０°又は０°≦Ｈ０≦１５°のとき、上記ステップ３において、ΔＨ＝−４０°、ΔＳ＝−０．１である。
【００１４】
また、上記ステップ２において、上記入力画像の計算待ちサブピクセルの色調が第３範囲（[７５°，１６５°]）にあると、上記計算待ちサブピクセルが基準色から区別できない色であると判定し、Ｈ０が上記第３範囲にあると、上記ステップ３において、１°≦ΔＨ≦４０°、０＜ΔＳ＜１である。
【００１５】
また、７５°≦Ｈ０＜１０５°のとき、上記ステップ３において、１°≦ΔＨ≦３９°、０．００１≦ΔＳ≦０．０９９であり、且つ、Ｈ０が大きければ大きいほどΔＨが大きくなり、Ｈ０が大きければ大きいほどΔＳが大きくなる。１０５°≦Ｈ０≦１３５°のとき、上記ステップ３において、ΔＨ＝４０°、ΔＳ＝０．１である。１３５°＜Ｈ０≦１６５°のとき、上記ステップ３において、１°≦ΔＨ≦３９°、０．００１≦ΔＳ≦０．０９９であり、且つ、Ｈ０が大きければ大きいほどΔＨが小さくなり、Ｈ０が大きければ大きいほどΔＳが小さくなる。
【００１６】
また、上記出力画像の各サブピクセルの輝度値は、上記入力画像における対応するサブピクセルの輝度値と同一である。
【００１７】
また、上記表示駆動方法は、上記ステップ１と上記ステップ２の間に、計算開始信号を受信したかを判断することと、上記計算開始信号を受信すると、上記ステップ２を実行し、上記ステップ３の計算結果に基づいて上記出力画像を表示することと、上記計算開始信号を受信しないと、上記入力画像を直接に出力することとを更に含む。
【００１８】
本発明の別態様は、表示装置用の駆動回路を提供する。上記駆動回路は、入力画像の各サブピクセルの色調を取得するための入力信号取得モジュールと、入力画像の計算待ちサブピクセルが２色覚患者にとって基準色から区別可能な色であるか否かを判断するための色判定モジュールと、上記色判定モジュールに接続され、上記色判定モジュールの判断結果に基づいて、出力画像のサブピクセルの色調を計算するための出力信号計算モジュールとを含む。
【００１９】
また、上記出力信号計算モジュールは、Ｈ１＝Ｈ０＋ΔＨ（Ｈ０：入力画像の計算待ちサブピクセルの色調；Ｈ１：出力画像のうち、上記入力画像の計算待ちサブピクセルの位置に対応するサブピクセルの色調）（式１）から出力画像のサブピクセルの色調を計算する。上記計算待ちサブピクセルが２色覚患者にとって基準色から区別できない色であると、ΔＨ≠０であり、よって、上記出力画像のうち、上記計算待ちサブピクセルの位置に対応するサブピクセルが２色覚患者にとって基準色から区別可能な色になる。上記計算待ちサブピクセルが２色覚患者にとって基準色から区別可能な色であると、ΔＨ＝０である。
【００２０】
また、上記入力信号取得モジュールは、更に入力画像の各サブピクセルの飽和度を取得する。上記出力信号計算モジュールは、Ｓ１＝Ｓ０＋ΔＳ（Ｓ１：出力画像の計算待ちサブピクセルの飽和度；Ｓ０：入力画像のうち、計算待ちサブピクセルの位置と同一のサブピクセルの飽和度）（式２）から出力画像のサブピクセルの飽和度を計算する。上記計算待ちサブピクセルが２色覚患者にとって基準色から区別できない色であると、ΔＳ≠０である。上記計算待ちサブピクセルが２色覚患者にとって基準色から区別可能な色であると、ΔＳ＝０である。
【００２１】
また、｜ΔＳ｜≦０．４５である。
【００２２】
また、Ｈ０が第１範囲（[３１５°，３６０°]）又は第２範囲（[０°，４５°]）にあると、上記第１範囲と上記第２範囲が格納されている上記色判定モジュールは、上記計算待ちサブピクセルが基準色から区別できない色であると判定し、−４０°≦ΔＨ≦−１°、−１＜ΔＳ＜０である。
【００２３】
また、１５°＜Ｈ０≦４５°のとき、−３９°≦ΔＨ≦−１°、−０．０９９≦ΔＳ≦−０．００１であり、且つ、Ｈ０が大きければ大きいほどΔＨが大きくなり、Ｈ０が大きければ大きいほどΔＳが大きくなる。３１５°≦Ｈ０＜３４５°のとき、−３９°≦ΔＨ≦−１°、−０．０９９≦ΔＳ≦−０．００１であり、且つ、Ｈ０が大きければ大きいほどΔＨが小さくなり、Ｈ０が大きければ大きいほどΔＳが小さくなる。３４５°≦Ｈ０≦３６０°又は０°≦Ｈ０≦１５°のとき、ΔＨ＝−４０°、ΔＳ＝−０．１である。
【００２４】
また、上記入力画像の計算待ちサブピクセルの色調が第３範囲（[７５°，１６５°]）にあると、上記第３範囲が格納されている上記色判定モジュールは、上記計算待ちサブピクセルが基準色から区別できない色であると判定し、Ｈ０が上記第３範囲にあると、１°≦ΔＨ≦４０°、０＜ΔＳ＜１である。
【００２５】
また、７５°≦Ｈ０＜１０５°のとき、１°≦ΔＨ≦３９°、０．００１≦ΔＳ≦０．０９９であり、且つ、Ｈ０が大きければ大きいほどΔＨが大きくなり、Ｈ０が大きければ大きいほどΔＳが大きくなる。１０５°≦Ｈ０≦１３５°のとき、ΔＨ＝４０°、ΔＳ＝０．１である。１３５°＜Ｈ０≦１６５°のとき、１°≦ΔＨ≦３９°、０．００１≦ΔＳ≦０．０９９であり、且つ、Ｈ０が大きければ大きいほどΔＨが小さくなり、Ｈ０が大きければ大きいほどΔＳが小さくなる。
【００２６】
また、上記出力信号計算モジュールは、上記出力画像の各サブピクセルの輝度値が上記入力画像の対応するサブピクセルの輝度値と同一であるように制御する。
【００２７】
また、上記表示装置は、トリガーモジュールと、制御モジュールとを更に含む。上記トリガーモジュールは、上記制御モジュールと接続することにより、上記制御モジュールへのトリガー信号の送信を可能にする。上記制御モジュールは、更に上記出力信号計算モジュールと接続することにより、上記トリガー信号の受信後に上記出力信号計算モジュールへの計算開始信号の送信を可能にする。上記出力信号計算モジュールは、上記計算開始信号の受信後に計算を開始することができる。
【００２８】
また、上記制御モジュールは、上記トリガー信号を受信しなかった時、上記入力画像を直接に出力するように上記駆動回路を制御することができる。
【００２９】
本発明のさらなる態様は、表示装置を提供する。上記表示装置は、駆動回路と表示パネルを含む。上記駆動回路は、本発明が提供する上記駆動回路である。上記駆動回路の出力端は、上記表示パネルの入力端に接続する。
【００３０】
本発明による方法において、２色覚患者にとって基準色から区別できる色を調整せず、２色覚患者にとって基準色から区別できない色だけを調整することにより、最大限に出力画像の真実度を保持し、サブピクセルに対する色調整時の計算量を低減した。
図面は、本発明を更に理解するためのものとして提供されて明細書の一部を構成し、以下の具体的な実施形態とともに本発明の解釈に用いられるが、本発明を限定するものではない。
【図面の簡単な説明】
【００３１】
【図１】本発明による表示駆動方法のフロー模式図である。
【図２】本発明による駆動回路のモジュール模式図である。
【発明を実施するための形態】
【００３２】
以下、図面とともに本発明の具体的な実施形態を詳細に説明する。なお、ここに記載した具体的な実施形態は、本発明の説明と解釈に用いられるだけであり、本発明を限定するためのものではない。
【００３３】
図１に示すように、本発明の１つの態様として提供される表示駆動方法は、入力画像の各サブピクセルの色調を取得するステップ１と、入力画像の計算待ちサブピクセルが２色覚患者にとって基準色から区別可能な色であるか否かを判断するステップ２と、ステップ２の判断結果に基づいて、出力画像のサブピクセルの色調を計算するステップ３とを含む。
【００３４】
ここで、ステップ３は、Ｈ１＝Ｈ０＋ΔＨ（Ｈ０：入力画像の計算待ちサブピクセルの色調；Ｈ１：出力画像のうち、上記入力画像の計算待ちサブピクセルの位置に対応するサブピクセルの色調）（式１）から出力画像のサブピクセルの色調を計算することを含む。上記計算待ちサブピクセルが２色覚患者にとって基準色から区別できない色であると、ΔＨ≠０であり、よって、上記出力画像のうち、上記計算待ちサブピクセルの位置に対応するサブピクセルが２色覚患者にとって基準色から区別可能な色になる。上記計算待ちサブピクセルが２色覚患者にとって基準色から区別可能な色であると、ΔＨ＝０である。
【００３５】
本発明における基準色とは、２色覚患者にとって基準色から区別できない２つの色のうちの１つである。例えば、計算待ちサブピクセルの色が赤であると、基準色は、緑である。計算待ちサブピクセルの色が緑であると、基準色は、赤である。計算待ちサブピクセルが青であると、基準色は、緑である。
【００３６】
なお、入力画像のサブピクセルの色が２色覚患者にとって基準色から区別できない色であるか否かを判断することは、当業者にとって周知なことである。例えば、Ｂｒｅｔｔｅｌ  Ｈなどが１９９７年に発表した「Ｃｏｍｐｕｔｅｒｉｚｅｄ  ｓｉｍｕｌａｔｉｏｎ  ｏｆ  ｃｏｌｏｒ  ａｐｐｅａｒａｎｃｅ  ｆｏｒ  ｄｉｃｈｏｒｍａｔｓ」の論文では、各２色覚患者にとって基準色から区別できない色が得られる２色覚模擬モデルが開示されている。もちろん、当業者は、２色覚患者にとって基準色から区別できない色を、ほかの２色覚模擬モデルに基づいて確定することもできる。
【００３７】
計算した結果、上記出力画像のすべてのサブピクセルの色は、２色覚患者にとって基準色から区別可能な色である。従って、２色覚患者は、本発明の駆動方法で表示装置を表示駆動することにより表示する画像（即ち出力画像）を正しく識別することができる。
【００３８】
本発明において、具体的に選定した２色覚模擬モデルでΔＨの値を確定することができる。例えば、前文で記載したＢｒｅｔｔｅｌ  Ｈなどが提案した２色覚模擬モデルで計算するとき、出力画像の各サブピクセルの色の２色覚色面における投影は、対応する基準色の上記２色覚色面における投影とは重ならず、上記基準色の上記２色覚色面における投影から、２色覚患者が出力画像のサブピクセルの色を基準色から区別するに足る一定の距離が存在する。
【００３９】
上述の記載から分かるように、本発明による方法において、２色覚患者にとって基準色から区別できる色を調整せず、２色覚患者にとって基準色から区別できない色だけを調整することにより、最大限に出力画像の真実度を保持し、サブピクセルに対する色調整時の計算量を低減した。
【００４０】
また、上記ステップ１において、上記入力画像の各サブピクセルの飽和度を取得することを更に含む。上記ステップ３において、Ｓ１＝Ｓ０＋ΔＳ（Ｓ１：出力画像の計算待ちサブピクセルの飽和度；Ｓ０：入力画像のうち、計算待ちサブピクセルの位置と同一のサブピクセルの飽和度）（式２）から出力画像のサブピクセルの飽和度を計算することを更に含む。上記計算待ちサブピクセルが２色覚患者にとって基準色から区別できない色であると、ΔＳ≠０である。上記計算待ちサブピクセルが２色覚患者にとって基準色から区別可能な色であると、ΔＳ＝０である。
【００４１】
入力画像のサブピクセルの飽和度を調整することにより、２色覚患者にとって基準色から区別できない色の入力画像におけるコントラストを更に増大することができる。よって、２色覚患者は、より入力画像に近い出力画像を見ることができる。
【００４２】
色盲患者の深刻度に応じて入力画像のサブピクセルの飽和度を調整することができる。例えば、飽和度の調整は、０．４５単位を超えないことにする。即ち、｜ΔＳ｜≦０．４５である。
【００４３】
計算作業を軽減するために、あらかじめ確定した「２色覚患者が正しく識別できない色」を、上記駆動方法を実行する駆動回路に入力してもよい。
【００４４】
例えば、赤の２色覚の場合、赤と緑の区別ができず、通常Ｈ０が第１範囲又は第２範囲にある色を赤に定義してもよい。第１範囲は、[３１５°，３６０°]であり、第２範囲は、[０°，４５°]である。従って、上記ステップ２において、上記入力画像の計算待ちサブピクセルの色調が第１範囲又は第２範囲にあると、上記計算待ちサブピクセルが基準色（緑）から区別できない色であると判定する。入力画像の計算待ちサブピクセルの色調Ｈ０が第１範囲又は第２範囲にあると、上記ステップ３において、−４０°≦ΔＨ≦−１°、−１＜ΔＳ＜０である。
【００４５】
出力画像の図形を入力画像の図形となるべく一致させるために、１５°＜Ｈ０≦４５°のとき、上記ステップ３において、−３９°≦ΔＨ≦−１°、−０．０９９≦ΔＳ≦−０．００１であり、且つ、Ｈ０が大きければ大きいほどΔＨが大きくなり、Ｈ０が大きければ大きいほどΔＳが大きくなる。３１５°≦Ｈ０＜３４５°のとき、上記ステップ３において、−３９°≦ΔＨ≦−１°、−０．０９９≦ΔＳ≦−０．００１であり、且つ、Ｈ０が大きければ大きいほどΔＨが小さくなり、Ｈ０が大きければ大きいほどΔＳが小さくなる。３４５°≦Ｈ０≦３６０°又は０°≦Ｈ０≦１５°のとき、上記ステップ３において、ΔＨ＝−４０°、ΔＳ＝−０．１である。
【００４６】
なお、「１５°＜Ｈ０≦４５°のとき、−３９°≦ΔＨ≦−１°、−０．０９９≦ΔＳ≦−０．００１であり、且つ、Ｈ０が大きければ大きいほどΔＨが大きくなり、Ｈ０が大きければ大きいほどΔＳが大きくなる」とは、１つ目の計算待ちサブピクセルの色調Ｈ０が２つ目の計算待ちサブピクセルの色調Ｈ０より大きくなると、１つ目の計算待ちサブピクセルの色調の計算に関与するΔＨが２つ目の計算待ちサブピクセルの色調の計算に関与するΔＨより大きくなり、同様に、１つ目の計算待ちサブピクセルの色調の計算に関与するΔＳが２つ目の計算待ちサブピクセルの色調の計算に関与するΔＳより大きくなることである。
【００４７】
「３１５°≦Ｈ０＜３４５°のとき、−３９°≦ΔＨ≦−１°、−０．０９９≦ΔＳ≦−０．００１であり、且つ、Ｈ０が大きければ大きいほどΔＨが小さくなり、Ｈ０が大きければ大きいほどΔＳが小さくなる」とは、１つ目の計算待ちサブピクセルの色調Ｈ０が２つ目の計算待ちサブピクセルの色調Ｈ０より大きくなると、１つ目の計算待ちサブピクセルの色調の計算に関与するΔＨが２つ目の計算待ちサブピクセルの色調の計算に関与するΔＨより小さくなり、同様に、１つ目の計算待ちサブピクセルの色調の計算に関与するΔＳが２つ目の計算待ちサブピクセルの色調の計算に関与するΔＳより小さくなることである。
【００４８】
緑の２色覚の場合、緑と赤の区別ができず、色の色調が第３範囲にあると、上記計算待ちサブピクセルが基準色（赤）から区別できない色であると判定する。上記第３範囲は、[７５°，１６５°]である。Ｈ０が上記第３範囲にあると、１°≦ΔＨ≦４０°、０＜ΔＳ＜１である。
【００４９】
また、７５°≦Ｈ０＜１０５°のとき、上記ステップ３において、１°≦ΔＨ≦３９°、０．００１≦ΔＳ≦０．０９９であり、且つ、Ｈ０が大きければ大きいほどΔＨが大きくなり、Ｈ０が大きければ大きいほどΔＳが大きくなる。１０５°≦Ｈ０≦１３５°のとき、上記ステップ３において、ΔＨ＝４０°、ΔＳ＝０．１である。１３５°＜Ｈ０≦１６５°のとき、上記ステップ３において、１°≦ΔＨ≦３９°、０．００１≦ΔＳ≦０．０９９であり、且つ、Ｈ０が大きければ大きいほどΔＨが小さくなり、Ｈ０が大きければ大きいほどΔＳが小さくなる。
【００５０】
なお、「Ｈ０が大きければ大きいほどΔＨが大きくなり、Ｈ０が大きければ大きいほどΔＳが大きくなる」とは、１つ目の計算待ちサブピクセルの色調Ｈ０が２つ目の計算待ちサブピクセルの色調Ｈ０より大きくなると、１つ目の計算待ちサブピクセルの色調の計算に関与するΔＨが２つ目の計算待ちサブピクセルの色調の計算に関与するΔＨより大きくなり、同様に、１つ目の計算待ちサブピクセルの色調の計算に関与するΔＳが２つ目の計算待ちサブピクセルの色調の計算に関与するΔＳより大きくなることである。
【００５１】
「Ｈ０が大きければ大きいほどΔＨが小さくなり、Ｈ０が大きければ大きいほどΔＳが小さくなる」とは、１つ目の計算待ちサブピクセルの色調Ｈ０が２つ目の計算待ちサブピクセルの色調Ｈ０より大きくなると、１つ目の計算待ちサブピクセルの色調の計算に関与するΔＨが２つ目の計算待ちサブピクセルの色調の計算に関与するΔＨより小さくなり、同様に、１つ目の計算待ちサブピクセルの色調の計算に関与するΔＳが２つ目の計算待ちサブピクセルの色調の計算に関与するΔＳより小さくなることである。
【００５２】
計算量を軽減するために、本発明において、入力画像の各サブピクセルの輝度を調整する必要がない。即ち、上記出力画像の各サブピクセルの輝度値は、上記入力画像の対応するサブピクセルの輝度値と同一である。
【００５３】
表示装置の汎用性を向上するために、表示画像を見る人が色盲患者であると、入力画像のサブピクセルの色を調整するが、表示画像を見る人が色覚正常者であると、入力画像のサブピクセルの色を調整する必要がない。
【００５４】
対応して、上記表示駆動方法は、上記ステップ１と上記ステップ２の間に、更に、計算開始信号を受信したかを判断することと、上記計算開始信号を受信すると、上記ステップ２を実行し、上記ステップ３の計算結果に基づいて上記出力画像を表示することと、上記計算開始信号を受信しないと、直接に上記入力画像を出力することとを含む。
【００５５】
上記計算開始信号の提供は、視聴者により人為的に行ってもよいが、以下で詳細に紹介し、ここでは繰り返して説明しない。
【００５６】
本発明の別態様は、表示装置用の駆動回路を提供する。当該駆動回路は、本発明による上記駆動方法を実行し、図２に示すように、入力画像の各サブピクセルの色調を取得するための入力信号取得モジュール１００と、入力画像の計算待ちサブピクセルが２色覚患者にとって基準色から区別可能な色であるか否かを判断するための色判定モジュール２００と、上記色判定モジュール２００に接続され、上記色判定モジュール２００の判断結果に基づいて、出力画像のサブピクセルの色調を計算するための出力信号計算モジュール３００とを含む。
【００５７】
ここで、当該出力信号計算モジュール３００は、Ｈ１＝Ｈ０＋ΔＨ（Ｈ０：入力画像の計算待ちサブピクセルの色調；Ｈ１：出力画像のうち、上記入力画像の計算待ちサブピクセルの位置に対応するサブピクセルの色調）（式１）から、出力画像のサブピクセルの色調を計算する。上記計算待ちサブピクセルが２色覚患者にとって基準色から区別できない色であると、ΔＨ≠０であり、よって、上記出力画像のうち、上記計算待ちサブピクセルの位置に対応するサブピクセルが２色覚患者にとって基準色から区別可能な色になる。上記計算待ちサブピクセルが２色覚患者にとって基準色から区別可能な色であると、ΔＨ＝０である。
【００５８】
本発明による駆動回路の色判定モジュール２００には、２色覚模擬モデルが格納されている。入力画像の各サブピクセルの色を２色覚模擬モデルに代入することにより、入力画像の各サブピクセルが２色覚患者にとって基準色から区別可能な色であるかを判定することができる。
【００５９】
出力信号計算モジュール３００は、式（１）の計算を実行する加算器を有する。
【００６０】
本発明による上記駆動回路は、本発明による上記駆動方法を実行することにより、入力画像を、２色覚患者が正しく識別できる出力画像に変換することができる。しかも、出力信号計算モジュール３００は、２色覚患者にとって基準色から区別できる色を調整せず、２色覚患者にとって基準色から区別できない色だけを調整することにより、最大限に出力画像の真実度を保持し、サブピクセルに対する色調整時の計算量を低減した。
【００６１】
また、入力信号取得モジュール１００は、更に入力画像の各サブピクセルの飽和度を取得する。上記出力信号計算モジュールは、Ｓ１＝Ｓ０＋ΔＳ（Ｓ１：出力画像の計算待ちサブピクセルの飽和度；Ｓ０：入力画像のうち、計算待ちサブピクセルの位置と同一のサブピクセルの飽和度）（式２）から出力画像のサブピクセルの飽和度を計算する。上記計算待ちサブピクセルが２色覚患者にとって基準色から区別できない色であると、ΔＳ≠０である。上記計算待ちサブピクセルが２色覚患者にとって基準色から区別可能な色であると、ΔＳ＝０である。
【００６２】
上述のように、飽和度調整により、２色覚患者にとって基準色から区別できない色の入力画像におけるコントラストを更に増大することができる。よって、２色覚患者は、より入力画像に近い出力画像を見ることができる。即ち、｜ΔＳ｜≦０．４５である。
【００６３】
本発明の１つの実施形態として、上記駆動回路は、赤の２色覚に適用する表示を実現するために用いられる。赤の２色覚患者は、色調が第１範囲又は第２範囲にある色（即ち赤）を緑から区別できないため、Ｈ０が第１範囲又は第２範囲にあると、−４０°≦ΔＨ≦−１°、−１＜ΔＳ＜０である。ここで、上記第１範囲は、[３１５°，３６０°]であり、上記第２範囲は、[０°，４５°]である。上記第１範囲と上記第２範囲を、色判定モジュール２００に格納してもよい。
【００６４】
表示画像の真実度を更に確保するために、１５°＜Ｈ０≦４５°のとき、−３９°≦ΔＨ≦−１°、−０．０９９≦ΔＳ≦−０．００１であり、且つ、Ｈ０が大きければ大きいほどΔＨが大きくなり、Ｈ０が大きければ大きいほどΔＳが大きくなる。３１５°≦Ｈ０＜３４５°のとき、−３９°≦ΔＨ≦−１°、−０．０９９≦ΔＳ≦−０．００１であり、且つ、Ｈ０が大きければ大きいほどΔＨが小さくなり、Ｈ０が大きければ大きいほどΔＳが小さくなる。３４５°≦Ｈ０≦３６０°又は０°≦Ｈ０≦１５°のとき、ΔＨ＝−４０°、ΔＳ＝−０．１である。
【００６５】
本発明の１つの実施形態として、上記駆動回路は、緑の２色覚に適用する表示を実現するために用いられる。緑の２色覚患者は、色調が第３範囲にある色（即ち緑）を赤から区別できないため、上記入力画像の計算待ちサブピクセルの色調が第３範囲にあると、上記計算待ちサブピクセルが基準色から区別できない色であると判定する。上記第３範囲は、[７５°，１６５°]である。Ｈ０が上記第３範囲にあると、１°≦ΔＨ≦４０°、０＜ΔＳ＜１である。上記第３範囲を、色判定モジュール２００に格納してもよい。
【００６６】
画像の真実度を確保するために、７５°≦Ｈ０＜１０５°のとき、１°≦ΔＨ≦３９°、０．００１≦ΔＳ≦０．０９９であり、且つ、Ｈ０が大きければ大きいほどΔＨが大きくなり、Ｈ０が大きければ大きいほどΔＳが大きくなる。１０５°≦Ｈ０≦１３５°のとき、ΔＨ＝４０°、ΔＳ＝０．１である。１３５°＜Ｈ０≦１６５°のとき、１°≦ΔＨ≦３９°、０．００１≦ΔＳ≦０．０９９であり、且つ、Ｈ０が大きければ大きいほどΔＨが小さくなり、Ｈ０が大きければ大きいほどΔＳが小さくなる。
【００６７】
計算量を軽減するために、上記出力画像の各サブピクセルの輝度値は、上記入力画像の対応するサブピクセルの輝度値と同一である。
【００６８】
表示装置の汎用性を向上するために、表示画像を見る人が色盲患者であると、入力画像のサブピクセルの色を調整するが、表示画像を見る人が色覚正常者であると、入力画像のサブピクセルの色を調整する必要がない。この目的を実現するために、上記表示装置は、トリガーモジュール４００と、制御モジュール５００とを更に含む。トリガーモジュール４００は、制御モジュール５００にトリガー信号を送信することができる。制御モジュール５００は、上記トリガー信号を受信した後に、出力信号計算モジュール３００に計算開始信号を送信することができる。当該出力信号計算モジュール３００は、上記計算開始信号を受信した後に計算を開始する（即ち式（１）及び／又は式（２）の計算を実行する）。
【００６９】
また、制御モジュール５００は、上記トリガー信号を受信しなかった時、上記入力画像を直接に出力するように上記駆動回路を制御することができる。
【００７０】
本発明のさらなる態様は、表示装置を提供する。上記表示装置は、駆動回路と表示パネルを含む。上記駆動回路は、本発明が提供する上記駆動回路である。上記駆動回路の出力端は、上記表示パネルの入力端に接続する。
【００７１】
上記表示装置は、２色覚患者が表示画像を見ることに適用する。しかも、上記表示装置は、画像の真実度を最大限に保持し、計算量を最大限に軽減することができる。
【００７２】
なお、以上の実施形態は、本発明の原理を説明するための例示的な実施形態である。本発明は、これらに限定されない。当業者にとって、本発明の精神と趣旨を逸脱することなく、各種の変形や改良を行うことができ、これらの変形や改良も本発明の保護範囲として見なされるべきである。
【図１】
0006304908.tif 000002
【図２】
0006304908.tif 000003